(57)【要約】【課題】剥離シートの一部と当該一部に貼付されている接着シートとを一体として剥離シートの残りの部分から接着シートを剥がしながら分離させる際の操作をユーザに促しやすいシート積層体を提供することにある。【解決手段】幅方向と交わる方向に延びており切断可能に構成されている中間分離線を有する剥離シートと、中間分離線を跨いでおり、剥がすことが可能となるように剥離シートに貼付されている接着シートと、を備え、幅方向の一方である第１側の接着シートの端部から第１側の剥離シートの端部までの第１余白部分の幅方向の長さは、幅方向の他方である第２側の接着シートの端部から第２側の剥離シートの端部までの第２余白部分の幅方向の長さよりも短い。【選択図】図１
2019157075.tif 000002
【特許請求の範囲】
【請求項１】
所定の幅方向と交わる方向に延びており切断可能に構成されているまたは切断されている中間分離線を有する剥離シートと、
前記中間分離線を跨いでおり、剥がすことが可能となるように前記剥離シートに貼付されている接着シートと、
を備え、
前記幅方向の一方である第１側の前記接着シートの端部から前記第１側の前記剥離シートの端部までの第１余白部分の前記幅方向の長さは、前記幅方向の他方である第２側の前記接着シートの端部から前記第２側の前記剥離シートの端部までの第２余白部分の前記幅方向の長さよりも短い、
シート積層体。
【請求項２】
前記第１余白部分と前記第２余白部分の面積比（前記第１余白部分の面積／前記第２余白部分の面積）は、１／３以上２／３以下である、
請求項１に記載のシート積層体。
【請求項３】
前記剥離シートにおける前記中間分離線は、前記接着シートの前記幅方向における中央を通過している、
請求項１または２に記載のシート積層体。
【請求項４】
前記剥離シートの前記中間分離線に沿うように並んだ前記接着シートを複数備えており、
前記剥離シートは、前記中間分離線が延びる方向において前記接着シートと交互に並ぶように設けられた複数の第１横分離線を有し、
複数の前記第１横分離線は、少なくとも前記第１側の端部から前記中間分離線まで延びており、
前記第１横分離線は、切断可能に構成されているかまたは切断されている、
請求項１から３のいずれか１項に記載のシート積層体。
【請求項５】
前記第１横分離線は、切断されている、
請求項４に記載のシート積層体。
【請求項６】
前記剥離シートの前記中間分離線は、切断可能に構成されており、
前記剥離シートは、前記接着シート同士の間の少なくとも一部に設けられており、少なくとも前記第２側の端部から前記中間分離線まで延びている第２横分離線を有しており、
前記第２横分離線は、切断可能に構成されており、
前記中間分離線は、前記第２横分離線よりも少ない力で切断可能となるように構成されている、
請求項４または５に記載のシート積層体。
【請求項７】
前記剥離シートは、前記接着シートよりも分厚い、
請求項１から６のいずれか１項に記載のシート積層体。
【請求項８】
前記接着シートは、和紙を含んで構成されている、
請求項１から７のいずれか１項に記載のシート積層体。
【請求項９】
前記接着シートは、前記第１側と前記第２側とをつなぐことを示す図形が示されており、プリントつなぐシールとして用いられる、
請求項１から８のいずれか１項に記載のシート積層体。
【発明の詳細な説明】
【技術分野】
【０００１】
本発明は、シート積層体に関する。
【背景技術】
【０００２】
従来より、剥離シートに貼付された状態の接着シートを、使用時に剥がして用いるものがある。
例えば、特許文献１（登録実用新案第３０５０８２１号公報）に記載の透明フィルムラベルシートのように、剥離シートに設けられた中央ミシン目の両側にまたがるように接着シートが貼付されており、当該中央ミシン目から剥離シート一側縁に向けて延びるように設けられた横ミシン目が接着シート毎に設けられたものが提案されている。
【０００３】
この接着シートを使用する際には、接着シートを挟むように位置する両方の横ミシン目を切断し、中央ミシン目のうち当該横ミシン目の間の部分を切断しつつ、剥離シートのうちの切断した隣り合う横ミシン目の間の部分と当該部分に貼付されている接着シートとを一体として、剥離シートの残りの部分から接着シートを剥がしながら分離する。そして、接着シートのうち剥離シートに貼付されていない部分を被着体に貼り付け、最後に接着シートから全ての剥離シートを剥がしながら、接着シートの全体を被着体に貼り付ける。
【発明の開示】
【発明が解決しようとする課題】
【０００４】
ところが、上述の特許文献１に記載の透明フィルムラベルシートでは、剥離シートにおいて、中央ミシン目に垂直である幅方向における接着シートの両側部分に余白が設けられているが、当該幅方向における各余白の幅が同程度となっている。
【０００５】
このため、剥離シートのうちの隣り合う横ミシン目の間の部分と当該部分に貼付されている接着シートとを一体として剥離シートの残りの部分から接着シートを剥がしながら分離して用いるという使用方法をユーザに理解させようとする場合に、当該一体とした部分を一方の腕の指で摘まみ、剥離シートの残りの部分のうち接着シートの無い余白部分を他の腕の指で摘まみながら分離するという操作を把握させにくい。
【０００６】
本発明は上述した点に鑑みてなされたものであり、本発明の課題は、剥離シートの一部と当該一部に貼付されている接着シートとを一体として剥離シートの残りの部分から接着シートを剥がしながら分離させる際の操作をユーザに促しやすいシート積層体を提供することにある。
【課題を解決するための手段】
【０００７】
第１観点に係るシート積層体は、剥離シートと、接着シートと、を備えている。剥離シートは、中間分離線を有している。中間分離線は、剥離シートの所定の幅方向と交わる方向に延びており、剥離シートを当該箇所において切断可能に構成されているまたは切断されている。接着シートは、中間分離線を跨いでおり、剥がすことが可能となるように剥離シートに貼付されている。第１余白部分の幅方向の長さは、第２余白部分の幅方向の長さよりも短い。第１余白部分は、剥離シートのうち、幅方向の一方である第１側の接着シートの端部から第１側の剥離シートの端部までをいう。第２余白部分は、剥離シートのうち、幅方向の他方である第２側の接着シートの端部から第２側の剥離シートの端部までをいう。
【０００８】
なお、第１余白部分の幅方向の長さが一様ではない場合には、平均長さを意味する。第２余白部分の幅方向の長さについても同様である。
また、剥離シートが中間分離線において切断されている態様の場合には、剥離シートの中間分離線から第１側の部分と、剥離シートの中間分離線から第２側の部分とは、接着シートを介して一体となっていてもよい。
【０００９】
このシート積層体では、剥離シートのうちの幅方向の一方である第１側の接着シートの端部から第１側の剥離シートの端部まで第１余白部分の幅方向の長さが、剥離シートのうちの幅方向の他方である第２側の接着シートの端部から第２側の剥離シートの端部まで第２余白部分の幅方向の長さよりも短い。このように、第１余白部分の幅方向の長さが比較的短いため、接着シートを剥離シートの第１側の部分と一体として中間分離線を介して分離させる際に、ユーザは、一方の腕の指で接着シートの第１側の部分と剥離シートの第１側の部分とを保持することになりやすい。また、第２余白部分の幅方向の長さが比較的長いため、ユーザは、接着シートの第２側の部分を避けて他方の腕の指で剥離シートの第２側の部分のうちの第２余白部分のみを保持することが容易になる。このため、剥離シートの一部と当該一部に貼付されている接着シートとを一体として剥離シートの残りの部分から接着シートを剥がしながら分離させる際の操作をユーザに促しやすい。
【００１０】
第２観点に係るシート積層体は、第１観点に係るシート積層体であって、第１余白部分と第２余白部分の面積比（第１余白部分の面積／第２余白部分の面積）は、１／３以上２／３以下である。
【００１１】
このシート積層体では、第２余白部分の面積を十分に確保しやすく、剥離シートの第１側の部分と当該部分に貼付されている接着シートとを一体として剥離シートの第２側の部分から接着シートに第２側の部分を剥がしながら分離させる際の操作性を向上させることができる。
【００１２】
第３観点に係るシート積層体は、第１観点または第２観点に係るシート積層体であって、剥離シートにおける中間分離線は、接着シートの幅方向における中央を通過している。
ここで、接着シートの幅方向における中央とは、接着シートの幅方向おける一端から他端までの距離の３５％以上６５％以下の部分をいう。
【００１３】
このシート積層体では、剥離シートの幅方向における中間分離線の第１側と第２側の大きさは非対象となる場合であっても、接着シートは中間分離線に対して対象的に設けることが可能になる。これにより、剥離シートの第１側の部分と当該部分に貼付されている接着シートの部分とを一体として分離した状態でも、接着シートの第２側の部分に十分な接着面積を確保させやすい。
【００１４】
第４観点に係るシート積層体は、第１観点から第３観点のいずれかに係るシート積層体であって、剥離シートの中間分離線に沿うように並んだ接着シートを複数備えている。剥離シートは、中間分離線が延びる方向において接着シートと交互に並ぶように設けられた複数の第１横分離線を有している。複数の第１横分離線は、少なくとも第１側の端部から中間分離線まで延びている。第１横分離線は、切断可能に構成されているかまたは切断されている。
【００１５】
このシート積層体では、剥離シートに設けられた中間分離線を、各接着シートを分離する線として共用することが可能になる。
第５観点に係るシート積層体は、第４観点に係るシート積層体であって、第１横分離線は、切断されている。
【００１６】
このシート積層体では、第１横分離線が切断された状態であるため、剥離シートの第１側の部分と当該部分に貼付されている接着シートの部分とを一体として分離する作業をユーザに想起させやすい。
【００１７】
第６観点に係るシート積層体は、第４観点または第５観点に係るシート積層体であって、剥離シートの中間分離線は、切断可能に構成されている。剥離シートは、接着シート同士の間の少なくとも一部に設けられており、少なくとも第２側の端部から中間分離線まで延びている第２横分離線を有している。第２横分離線は、切断可能に構成されている。中間分離線は、第２横分離線よりも少ない力で切断可能となるように構成されている。
【００１８】
このシート積層体では、接着シートが破れやすい素材であったとしても、中間分離線を切断するのに必要な力を小さく抑えることが可能になるため、接着シートに過度な力が作用することを抑えて、接着シートの破断を抑制することが可能になる。このため、接着シートを構成する材料として選択可能な材料の種類を広げることが可能になる。また、第２横分離線の分離には、中間分離線において剥離シートを分離するよりも比較的大きな力が必要となるため、製造時に剥離シートが第２横分離線において破断することを抑制することが可能になる。
【００１９】
第７観点に係るシート積層体は、第１観点から第６観点のいずれかに係るシート積層体であって、剥離シートは、接着シートよりも分厚い。
このシート積層体では、剥離シートの第１側の部分と当該部分に貼付されている接着シートの部分とを一体として、剥離シートの第２側の部分から接着シートの第２側の部分を剥がしながら分離させた後、剥離シートの第１側の部分と接着シートとの一体化物を用いて接着シートの第２側の部分をシート状の被着体に貼り付ける際に、剥離シートの第１側の部分の第２側端部を被着体の一部にあてた状態で貼り付けやすい。
【００２０】
第８観点に係るシート積層体は、第１観点から第７観点のいずれかに係るシート積層体であって、接着シートは、和紙を含んで構成されている。
このシート積層体では、接着シートの折り曲げが容易になるとともに、接着シートの破断を抑制することが可能になる。
【００２１】
第９観点に係るシート積層体は、第１観点から第８観点のいずれかにシート積層体であって、接着シートは、第１側と第２側とをつなぐことを示す図形が示されており、複数の被着体同士をつなぐシールとして用いられる。
【００２２】
このシート積層体では、接着シートの第１側をある被着体に貼り付け、接着シートの第２側を他の被着体に貼り付けることで、複数の被着体同士を繋ぐことが可能になるとともに、接着シートをそのように用いることをユーザに理解させやすい。
【００２３】
付記１に係るシート積層体は、剥離シートと、複数の接着シートと、を備えている。剥離シートは、中間分離線を有している。中間分離線は、剥離シートの所定の幅方向と交わる方向に延びており、切断可能に構成されているまたは切断されている。複数の接着シートは、剥がすことが可能となるように剥離シートに貼付されている。複数の接着シートは、中間分離線に沿うように並んでいる。複数の接着シートは、それぞれ中間分離線を跨ぐように剥離シートに設けられている。剥離シートは、複数の第１横分離線を有している。複数の第１横分離線は、中間分離線が延びる方向において接着シートと交互に並ぶように設けられている。複数の第１横分離線は、少なくとも幅方向の一方である第１側の端部から中間分離線まで延びている。第１横分離線は、切断可能に構成されているかまたは切断されている。
【００２４】
このシート積層体では、接着シートを剥離シートの第１側の部分と一体として、中間分離線を介して、剥離シートの第１側とは反対側の部分から分離させる作業を容易に行うことが可能になる。
【００２５】
付記２に係るシート積層体は、所定の幅方向と交わる方向に延びている中間分離線を有する剥離シートと、中間分離線を跨いでおり、剥がすことが可能となるように剥離シートに貼付されている複数の接着シートと、を備えている。複数の接着シートは、剥離シートの中間分離線に沿うように並んで設けられている。剥離シートは、接着シート同士の間毎に設けられており、少なくとも第１側の端部から中間分離線まで延びている複数の第１横分離線を有している。第１側は、幅方向の一方である。第１横分離線は、切断可能に構成されているかまたは切断されている。剥離シートは、接着シート同士の間の少なくとも一部に設けられており、少なくとも第２側の端部から中間分離線まで延びている第２横分離線を有している。第２側は、幅方向の他方であり、第１側とは反対側である。第２横分離線は、切断可能に構成されている。中間分離線は、第２横分離線よりも少ない力で切断可能となるように構成されているか切断されている。
【００２６】
このシート積層体は、接着シートが破れやすい素材であったとしても、剥離シートの中間分離線に対する第１側と第２側とを容易に分離できるため、接着シートに過度な力が作用することを抑えて、接着シートの破断を抑制することが可能になる。このため、接着シートを構成する材料として選択可能な材料の種類を広げることが可能になる。また、第２横分離線の分離には、中間分離線において剥離シートを分離するよりも比較的大きな力が必要となるため、製造時に剥離シートが第２横分離線において破断することを抑制することが可能になる。
【発明の効果】
【００２７】
本願発明に係るシート積層体では、剥離シートの一部と当該一部に貼付されている接着シートとを一体として剥離シートの残りの部分から接着シートを剥がしながら分離させる際の操作をユーザに促しやすい。
【図面の簡単な説明】
【００２８】
【図１】シート積層体（折り曲げられていない状態）の概略平面図である。
【図２】シート積層体（折り曲げられた状態）の幅方向視の概略側面図である。
【図３】シート積層体の長手方向視の概略側面図である。
【図４】接着シートを剥がし取る様子を示すシート積層体の長手方向視の概略側面図である。
【図５】剥がし取られた接着シートと第１剥離部分との一体物の平面図である。
【図６】剥がし取られた接着シートと第１剥離部分との一体物をプリントに貼り付ける際の位置決めの様子を説明する断面図である。
【図７】複数のプリントが接着シートによってつながれた様子を示す断面図である。
【図８】複数のプリントが接着シートによってつながれた様子を示す平面図である。
【図９】プリントが接着シートによってノートにつながれた様子を示す平面図である。ある。
【図１０】変形例Ａに係るつなげることを示す絵柄が示された接着シートを用いて複数のプリントをつないだ様子を示す平面図である。
【図１１】変形例Ｂに係るシート積層体の概略平面図である。
【図１２】変形例Ｃに係るシート積層体の概略平面図である。
【図１３】接着シートをインデックスとして用いた場合の平面図である。
【発明を実施するための形態】
【００２９】
以下、本発明に係るシート積層体の実施形態およびその変形例について、図面に基づいて説明する。なお、本発明に係るシート積層体の具体的な構成は、下記の実施形態およびその変形例に限られるものではなく、発明の要旨を逸脱しない範囲で変更可能である。
【００３０】
（１）シート積層体１０
図１は、シート積層体１０（折り曲げられていない状態）の概略平面図である。図２は、シート積層体１０（折り曲げられた状態）の幅方向視の概略側面図である。図３は、シート積層体１０の長手方向視の概略側面図である。
【００３１】
シート積層体１０は、剥離シート２０と、複数の接着シート３０と、を備えている。接着シート３０は、剥離シート２０から剥がしとることで、被着体に貼り付けて用いられる。
【００３２】
本実施形態のシート積層体１０は、剥離シート２０を所定の間隔で山折りおよび谷折することにより、図２に示すように折り込むように畳むことができ、シート積層体１０をコンパクト化させることが可能になっている。
【００３３】
本実施形態のシート積層体１０の製造方法は、特に限定されないが、例えば、剥離シート２０の全面が接着層付きシートで覆われたものを用意し、接着層付きシートにおける接着シート３０の輪郭を構成する箇所に切れ込みを入れ、接着層付きシートのうち接着シート３０を構成する部分以外の廃棄部分を剥離シート２０から剥がして取り除くようにして製造してもよい。
【００３４】
なお、以下の説明において、折り返されていない状態のシート積層体１０または剥離シート２０の長手方向（図１に示す上下方向）に垂直な方向を幅方向として説明する。ここで、幅方向のうち、図１において矢印で示す右側を第１側とし、図１において矢印で示す左側を第２側として説明する。
【００３５】
（２）接着シート３０
接着シート３０は、基材層と、剥離シート２０側に設けられた接着層と、を有して構成されている。基材層としては、接着シート３０の破断を抑制できる観点から、和紙を含んでいることが好ましい。本実施形態の接着シート３０は、接着層が剥離シート２０側の全面にわたって設けられている。特に限定されないが、本実施形態の接着シート３０は、平面視において略矩形の形状を有している。接着シート３０の厚みは、例えば、３０ミクロン以上９０ミクロン以下である。
【００３６】
接着シート３０は、剥離シート２０の長手方向に沿うように並んで剥離シート２０に貼り付けられている。具体的には、接着シート３０の幅方向の両端が、剥離シート２０の幅方向の両端と並行となる姿勢で設けられている。
【００３７】
接着シート３０は、剥離シート２０に貼り付けられた状態で、後述する剥離シート２０の中間分離線２７に対する第１側を構成する第１接着部分３１と、中間分離線２７に対する第２側を構成する第２接着部分３２と、を有している。
【００３８】
なお、本実施形態では、接着シート３０にはミシン目等の分離可能な線は設けられていない。
（３）剥離シート２０
剥離シート２０は、紙に対して、接着シート３０が貼り付けられる側において接着シート３０を容易に剥がすことが可能となるようにコーティングが施されることで構成されている。剥離シート２０は、一定の幅を保って長手方向に延びた形状を有している。剥離シート２０の厚みは、接着シート３０の厚みよりも分厚いことが好ましく、例えば、接着シート３０の厚みの１２０％以上３００％以下が好ましい。剥離シート２０の厚みは、例えば、１００ミクロン以上１３０ミクロン以下である。
【００３９】
剥離シート２０は、中間分離線２７、第１剥離部分２１、第２剥離部分２２、第１横分離線２８、第２横分離線２９等を有している。
中間分離線２７は、剥離シート２０の幅方向における中心から第１側に偏った位置において、剥離シート２０の長手方向に沿うように延びたマイクロミシン目である。この中間分離線２７は、接着シート３０が貼付されている箇所においても連なるように設けられている。なお、本実施形態では、中間分離線２７は、接着シート３０の幅方向における中心を通過している（すなわち、図１における長さｘは長さｙと等しい）。なお、中間分離線２７上には、複数の接着シート３０が並んで設けられているため、１つの中間分離線２７を複数の接着シート３０の分離に共用することが可能になっている。
【００４０】
第１剥離部分２１は、中間分離線２７に対して第１側の部分を構成しており、剥離シート２０の長手方向に沿って並ぶように複数設けられている。本実施形態では、１つの第１剥離部分２１は、１つの接着シート３０と１対１に対応するように設けられている。第１剥離部分２１には、接着シート３０のうちの第１接着部分３１が積層されている。第１剥離部分２１は、接着シート３０のうちの第１接着部分３１よりも第１側において、接着シート３０が位置していない第１余白部分２１ａを有している。
【００４１】
第１横分離線２８は、剥離シート２０の長手方向に並ぶ複数の第１剥離部分２１同士の間において幅方向に延びるように設けられている。具体的には、第１横分離線２８は、互いに隣り合う第１剥離部分２１同士の間において剥離シート２０の第１側端部から中間分離線２７に至るまで幅方向に延びている。本実施形態では、第１横分離線２８は、切断箇所として構成されている。すなわち、剥離シート２０の長手方向において互いに隣り合う第１剥離部分２１同士は、第１横分離線２８において互いに分離されている。
【００４２】
第２剥離部分２２は、中間分離線２７に対して第２側の部分を構成しており、剥離シート２０の長手方向に沿って並ぶように複数設けられている。本実施形態では、１つの第２剥離部分２２は、３つの接着シート３０に対応するように設けられている。すなわち、第２剥離部分２２は、剥離シート２０の長手方向において、複数枚（ここでは３枚）の接着シート３０に対応するように設けられている。第２剥離部分２２には、接着シート３０のうちの第２接着部分３２が積層されている。第２剥離部分２２は、接着シート３０のうちの第２接着部分３２よりも第２側において、接着シート３０が位置していない第２余白部分２２ａを有している。
【００４３】
第２横分離線２９は、剥離シート２０の長手方向に並ぶ複数の第２剥離部分２２同士の間において幅方向に延びるように設けられている。具体的には、第２横分離線２９は、互いに隣り合う第２剥離部分２２同士の間において剥離シート２０の第２側端部から中間分離線２７に至るまで幅方向に延びている。本実施形態では、第２横分離線２９は、中間分離線２７を構成するマイクロミシン目よりも分離に力を要するミシン目によって構成されている。なお、本実施形態では、第２横分離線２９は、剥離シート２０の長手方向において第１横分離線２８が設けられている位置に設けられており、第１横分離線２８と幅方向において連なっている。このため、第１横分離線２８と第２横分離線２９とが連なっている箇所を交互に山折り谷折することで、図２に示すような形態に容易に折り畳むことが可能になっている。
【００４４】
ここで、第１剥離部分２１に設けられた第１余白部分２１ａの幅方向の長さＡ（図１参照）は、第２剥離部分２２に設けられた第２余白部分２２ａの幅方向の長さＢ（図１参照）よりも短い。また、剥離シート２０の長手方向における接着シート３０が位置している部分に対応する部分の第１余白部分２１ａの面積と第２余白部分の面積との面積比（第１余白部分の面積／第２余白部分の面積）は、１／３以上２／３以下であることが好ましい。
【００４５】
（４）接着シート３０と第１剥離部分２１との一体物の分離操作
図４に、接着シート３０を剥がし取る様子を示すシート積層体１０の長手方向視の概略側面図を示す。
【００４６】
シート積層体１０は、図３に示す状態から、図４に示す状態を介して、剥離シート２０の第１剥離部分２１と接着シート３０の第１接着部分３１との一体物が、剥離シート２０の第２剥離部分２２から分離される。
【００４７】
具体的には、ユーザは、例えば、一方の腕の指（例えば、図３、４に点線で示す親指と人差し指）によって剥離シート２０の第１剥離部分２１と接着シート３０の第１接着部分３１と厚み方向から摘まみ、他方の腕の指（例えば、図３、４に点線で示す親指と人差し指）によって剥離シート２０の第２剥離部分２２の第２余白部分２２ａのみを厚み方向から摘まみ、剥離シート２０の中間分離線２７を切断することができる。このように中間分離線２７を切断し、接着シート３０の第２接着部分３２を剥離シート２０の第２剥離部分２２から剥がし取ることで、図５に示すような、剥離シート２０のうちの第１剥離部分２１と接着シート３０との一体物が得られる。なお、図４では、剥離シート２０の第２剥離部分２２に接着シート３０の第２接着部分３２が接着したままの状態で剥離シート２０の中間分離線２７が完全に切断された剥がし取り方を示しているが、剥離シート２０の第１剥離部分２１と接着シート３０の第１接着部分３１との一体物を、剥離シート２０の第２剥離部分２２に対してねじるようにして、剥離シート２０の中間分離線２７を一端側から順に切断しながら剥がし取るようにしてもよい。
【００４８】
なお、剥離シート２０の中間分離線２７を切断する際には、中間分離線２７の長手方向における一方側から他方側にかけて切断しつつ、接着シート３０の第２接着部分３２を剥離シート２０の第２剥離部分２２からめくり上げるようにすることで、接着シート３０が中間分離線２７に対応する箇所で破断してしまうことを防ぐことができる。
【００４９】
（５）接着シート３０と第１剥離部分２１の一体物の貼り付け操作
図６に、剥がし取られた接着シート３０と第１剥離部分２１との一体物をプリントＰに貼り付ける際の位置決めの様子を説明する断面図を示す。
【００５０】
剥離シート２０のうちの第１剥離部分２１と接着シート３０との一体物を、プリントＰの一端に貼り付ける際には、図６の矢印に示すように、プリントＰの端部Ｐａに対して、剥離シート２０の第１剥離部分２１の中間分離線２７が存在していた部分をあてがうようにすることで、接着シート３０の幅方向における真ん中部分がプリントＰの端部Ｐａ真上に位置するようにして、プリントＰ上に接着シート３０の第１接着部分３１を貼り付けることが容易になる。ここで、剥離シート２０の厚みが接着シート３０の厚みよりも分厚く構成されていることで、接着シート３０の第２接着部分３２の接着層がプリントＰに接してしまう前に、プリントＰの端部Ｐａに対して、剥離シート２０の第１剥離部分２１の中間分離線２７が存在していた部分をあてがうことが容易になる。
【００５１】
（６）接着シート３０による被着体同士のつなぎ方
図７に、複数のプリントが接着シートによってつながれた様子を示す断面図を示す。
図６に示すように接着シート３０の第１接着部分３１が貼り付けられた後に、接着シート３０から剥離シート２０の第１剥離部分２１を剥がし取ることで、接着シート３０の第２接着部分３２の接着面を露出させる。そして、図７に示すように、当該露出した接着シート３０の第２接着部分３２の接着面に、別の被着体（ここではプリントＰ）を接着させることで、被着体同士（ここではプリントＰ同士）をつなぐことが可能になる。
【００５２】
なお、プリントＰ同士のつなぎ箇所が長い場合には、例えば、図８に示すように、複数個所に接着シート３０を貼り付けてつなぐようにしてもよい。
また、接着シート３０は、プリントＰ同士をつなぐ用途に限られず、図９に示すように、ノートＮの一部に対してプリントＰをつなぐ用途で用いてもよい。
【００５３】
（７）本実施形態の特徴
本実施形態のシート積層体１０では、剥離シート２０のうちの第１余白部分２１ａの幅方向の長さＡが、剥離シート２０のうちの第２余白部分２２ａの幅方向の長さＢよりも短く構成されている。このため、ユーザは、例えば、一方の腕の指（例えば、親指と人差し指）によって剥離シート２０の第１剥離部分２１を摘まみ、他方の腕の指（例えば、親指と人差し指）によって剥離シート２０の第２剥離部分２２を摘まもうとすると、第１剥離部分２１に設けられた第１余白部分２１ａの幅が短いことから、剥離シート２０の第１剥離部分２１と接着シート３０の第１接着部分３１とを同時に摘まむことになりやすく、第２剥離部分２２に設けられた第２余白部分２２ａの幅が長いことから、剥離シート２０の第２剥離部分２２のみを（接着シート３０の第２接着部分３２を避けて）に摘まむことになりやすい。このため、剥離シート２０の第１剥離部分２１と接着シート３０とを一体として剥離シート２０の残りの部分である第２剥離部分２２から接着シートを剥がしながら分離させるという操作を、ユーザに促しやすい。これにより、例えば、ユーザが別異の手法により接着シート３０を剥がしとってしまうことで、接着シート３０が折れてしまうことや指紋が付着してしまうことも抑制可能となる。特に、第１余白部分２１ａの面積と第２余白部分の面積との面積比（第１余白部分の面積／第２余白部分の面積）を２／３以下とすることで、上述した操作をより促しやすくするとともに、１／３以上とすることで、第２余白部分２２ａの大きさが指で摘まむのに必要な大きさを超える不要な大きさとなることを防ぐことができる。
【００５４】
また、本実施形態のシート積層体１０では、剥離シート２０に設けられた第２横分離線２９を、中間分離線２７を構成するマイクロミシン目よりも分離に大きな力を要するミシン目で構成している。このため、製造時や使用時において、剥離シート２０の長手方向に張力が作用することがあっても、剥離シート２０の第２横分離線２９が破断しにくく、シート積層体１０がばらばらになってしまうことを防ぐことが可能になっている。また、中間分離線２７は、比較的切断しやすいマイクロミシン目によって構成されているため、剥離シート２０の第１剥離部分２１と接着シート３０とを一体化させて剥離シート２０の第２剥離部分２２から分離する際に、接着シート３０に過度の力が作用しにくく、接着シート３０の破断を抑制することが可能になっている。このため、本実施形態のシート積層体１０によれば、接着シート３０を構成する材料として選択可能な材料の種類を比較的破断しやすい材料まで広げることが可能になる。
【００５５】
また、本実施形態のシート積層体１０では、剥離シート２０において既に切断された第１横分離線２８が設けられている。このため、ユーザが剥離シート２０の第１剥離部分２１と接着シート３０とを一体物として分離する際に、互いに隣り合う第１剥離部分２１同士を分離する作業が不要となる。また、剥離シート２０の第１剥離部分２１と接着シート３０との一体物が、剥離シート２０の第２剥離部分２２から分離されやすい状態とすることができているため、剥離シート２０の第１剥離部分２１と接着シート３０との一体物を剥離シート２０の第２剥離部分２２から分離させて用いることをユーザに想起させやすい。
【００５６】
また、本実施形態のシート積層体１０では、接着シート３０の幅方向における中央に剥離シート２０の中間分離線２７が位置している。このため、剥離シート２０の第１剥離部分２１と接着シート３０との一体物では、接着シート３０の第１接着部分３１のみが露出しているため、被着体同士をつなごうとする場合に接着シート３０の面積を半分ずつバランス良く用いることが可能になる。
【００５７】
（８）変形例
上記実施形態では、本発明の実施形態の一例を説明したが、上記実施形態はなんら本願発明を限定する趣旨ではなく、上記実施形態には限られない。本願発明は、その趣旨を逸脱しない範囲で以下に述べるように適宜変更した態様についても含まれる。
【００５８】
（８−１）変形例Ａ
上記実施形態では、接着シート３０の接着層とは反対側の面に特に絵柄や図形等が示されていることを不問とする場合を例に挙げて説明した。
【００５９】
これに対して、例えば、図１０に示すように、接着シート３０において、プリントＰ同士がつなげられていることを示す絵柄や図形が示されていても良い。当該図１０では、バインダを模したイラストを接着シート３０に施した場合を例に挙げている。このような絵柄や図形としては、接着シート３０の第１接着部分３１に接着した被着物と、接着シート３０の第２接着部分３２に接着した被着物と、をつないでいることを示す絵柄や図形であることが好ましい。
【００６０】
このように絵柄や図形が施されていることにより、ユーザに対して、シート積層体１０の意図した用い方をより確実に促すことが可能になる。
（８−２）変形例Ｂ
上記実施形態では、剥離シート２０の第１横分離線２８が予め切断されており、第２横分離線２９が複数の接着シート３０に対して１つ設けられている構成のシート積層体１０を例に挙げて説明した。
【００６１】
これに対して、図１１に示すシート積層体２１０のように、剥離シート２０の第１横分離線２８ｘを、切断されていないマイクロミシン目によって構成するようにしてもよい。この場合には、各接着シート３０を分離する際に、第１横分離線２８ｘのマイクロミシン目を切断する必要が生じるものの、剥離シート２０の長手方向における強度を高めることが可能になる。
【００６２】
また、図１１に示すシート積層体２１０のように、第２横分離線２９ｘがそれぞれの接着シート３０に対応するように設けられていてもよい。この場合には、接着シート３０を１つ使用する度に、剥離シート２０のうち不要となった部分を分離して廃棄することが可能になる。
【００６３】
（８−３）変形例Ｃ
上記実施形態では、接着シート３０の幅方向における中央に剥離シート２０の中間分離線２７を通過させるように構成されたシート積層体１０を例に挙げて説明した。
【００６４】
これに対して、例えば、図１２に示すシート積層体３１０のように、接着シート３０の幅方向における中央ではない位置に剥離シート２０の中間分離線２７ｘを通過させるように構成してもよい。ここでは、接着シート３０の第２側に剥離シート２０の中間分離線２７ｘが偏在している例を示している（すなわち、図１２における長さｘは長さｙよりも長い）。当該例によれば、剥離シート２０の中間分離線２７ｘを、剥離シート２０の幅方向における中央または中央近傍に位置させた場合であっても、第１余白部分２１ａの長さＡを第２余白部分２２ａの長さＢよりも短くすることが可能になる。
【００６５】
また、このように接着シート３０の第２側に剥離シート２０の中間分離線２７ｘを偏在させた場合には、剥離シート２０の第１剥離部分２１と接着シート３０との一体物を用いて被着体に接着シート３０を貼り付ける場合に、第２接着部分３２の幅方向の長さを半分以下に短く抑えることができる。このため、図１３に示すように、ノートＮ等の被着物に対して接着シート３０の第２接着部分３２のみを貼り付けた後、接着シート３０の幅方向の中央部分で折り曲げることで、接着シート３０をインデックスとしても用いることが可能になる。
【００６６】
（８−４）変形例Ｄ
上記実施形態では、剥離シート２０の中間分離線２７が切断可能なマイクロミシン目によって構成されている場合を例に挙げて説明した。
【００６７】
これに対して、剥離シート２０の中間分離線２７が予め切断されている構成としてもよい。この場合には、剥離シート２０の第１剥離部分２１と第２剥離部分２２とは接着シート３０を介してつながっていることになるが、剥離シート２０の第１剥離部分２１と接着シート３０との一体物を剥離シート２０の第２剥離部分２２から分離する作業がより容易になると共に、接着シート３０に作用する力を小さくできるため接着シート３０の破断を抑制することが可能になる。
【００６８】
（８−５）変形例Ｅ
上記実施形態のシート積層体１０は、接着層付きシートのうち接着シート３０を構成する部分以外の廃棄部分を剥離シート２０から剥がして取り除いた形態のものを例に挙げて説明した。
【００６９】
これに対して、例えば、接着層付きシートのうち接着シート３０を構成する部分以外の廃棄部分を剥離シート２０から剥がし取ることなく、接着層付きシートにおける接着シート３０の輪郭を構成する切れ込みが入った状態で、剥離シート２０の全面が接着シート３０を含む接着層付きシートで覆われた形態のものとしてもよい。なお、この場合には、接着層付きシートのうち接着シート３０以外の部分について、剥離シート２０の中間分離線２７上と第１横分離線２８上と第２横分離線２９上に切れ込みが入っていることが好ましい。
【符号の説明】
【００７０】
１０  シート積層体
２０  剥離シート
２１  第１剥離部分
２１ａ  第１余白部分
２２  第２剥離部分
２２ａ  第２余白部分
２７  中間分離線
２８  第１横分離線
２９  第２横分離線
３０  接着シート
３１  第１接着部分
３２  第２接着部分
２１０  シート積層体
３１０  シート積層体
Ｎ  ノート（被着体）
Ｐ  プリント（被着体）
【先行技術文献】
【特許文献】
【００７１】
特許文献１：登録実用新案第３０５０８２１号公報
【図１】
2019157075.tif 000003
【図２】
2019157075.tif 000004
【図３】
2019157075.tif 000005
【図４】
2019157075.tif 000006
【図５】
2019157075.tif 000007
【図６】
2019157075.tif 000008
【図７】
2019157075.tif 000009
【図８】
2019157075.tif 000010
【図９】
2019157075.tif 000011
【図１０】
2019157075.tif 000012
【図１１】
2019157075.tif 000013
【図１２】
2019157075.tif 000014
【図１３】
2019157075.tif 000015